(57)【要約】【課題】複数のプロジェクターに共通暗証番号を設定する場合、１台でも暗証番号（共通暗証番号）がわかってしまうとすべてのプロジェクターが盗難にあってしまう虞がある。【解決手段】プロジェクターの設定変更操作検出がされ（Ｓ２０１）、暗証番号保護設定がされているとき（Ｓ２０２、Ｙ）、認証モードが各プロジェクター共通のサブ暗証番号で認証したサブモードか、固有のメイン暗証番号で認証したメインモードかを判定する（Ｓ２０３）。認証モードがメインモードであるとき（Ｓ２０３、Ｎ）は、設定変更処理を行い（Ｓ２０７）、認証モードがサブモードのとき（Ｓ２０３、Ｙ）は、警告を報知して（Ｓ２０４）、サブ暗証番号での認証を無効とし（Ｓ２０５）、電源をオフ処理（Ｓ２０６）する。【選択図】図６
2012128057.tif 000002
【特許請求の範囲】
【請求項１】
プロジェクターを認証する個別暗証番号または共通暗証番号の入力を受け付ける入力手段と、
前記プロジェクターの設定情報を設定する設定手段と、
個別暗証番号と共通暗証番号とを記憶する第１の記憶手段と、
前記入力手段が受け付けた、前記個別暗証番号または前記共通暗証番号で認証する認証手段と、
前記認証手段によって認証された場合、画像を投写する投写手段と、
前記個別暗証番号または前記共通暗証番号のいずれでも前記プロジェクターを認証できる第１の状態と、前記個別暗証番号で前記プロジェクターを認証できる第２の状態と、を取りうるよう、前記プロジェクターを制御する制御手段と、を備えたプロジェクターであって、
前記設定手段によって前記設定情報が所定の変更がなされたとき、前記制御手段は、前記プロジェクターが前記第１の状態の場合、前記第１の状態から前記第２の状態に遷移させることを特徴とするプロジェクター。
【請求項２】
前記所定の変更は、前記プロジェクターの設置情報が、天吊設置から正置設置への変更であることを特徴とする請求項１記載のプロジェクター。
【請求項３】
前記第１の状態において、前記共通暗証番号によって認証された場合であって、前記設定手段により、前記プロジェクターの設定情報の前記所定の変更がなされたとき、
前記制御手段は、警告を報知し、前記第２の状態に前記プロジェクターを遷移させてプロジェクター電源をオフすることを特徴とする請求項１または２記載のプロジェクター。
【請求項４】
前記個別暗証番号によって認証されたとき、前記制御手段は、前記共通暗証番号の有効または無効の設定、及び前記共通暗証番号設定を行うことが可能であることを特徴とする請求項１乃至３のいずれか一項に記載のプロジェクター。
【請求項５】
プロジェクターを認証する個別暗証番号または共通暗証番号の入力を受け付ける入力工程と、
前記プロジェクターの設定情報を設定する設定工程と、
前記入力工程によって受け付けた前記個別暗証番号または前記共通暗証番号で認証する認証工程と、
前記認証工程によって認証された場合、画像を投写する投写工程と、
を有するプロジェクターの制御方法であって、
前記個別暗証番号または前記共通暗証番号のいずれでも認証可能な第１の状態と、前記個別暗証番号で認証可能な第２の状態とを選択する工程と、
前記設定工程によって、前記設定情報が所定の変更がなされたかどうか判断する第１の判断工程と、
前記第１の判断工程によって、前記設定情報の所定の変更がなされたと判断したとき、前記プロジェクターが前記第１の状態の場合は、前記第１の状態から前記第２の状態に遷移させる工程と、
を備えたことを特徴とするプロジェクターの制御方法。
【請求項６】
請求項５記載のプロジェクターの制御方法において、さらに、
前記個別暗証番号によって認証されたか、共通暗証番号によって認証されたかどうか判断する第２の判断工程を備え、
前記第２の判断工程で、前記共通暗証番号によって認証されたと判断され、かつ、前記第１の判断工程で、前記プロジェクターの設定情報の前記所定の変更がなされたと判断したとき、
警告を報知する工程と、
前記第２の状態に前記プロジェクターを遷移させる工程と、
プロジェクター電源をオフする工程と、
を備えたことを特徴とするプロジェクターの制御方法。
【請求項７】
プロジェクターを認証する個別暗証番号または共通暗証番号の入力を受け付ける入力工程と、
前記プロジェクターの設定情報を設定する設定工程と、
前記入力工程によって受け付けた前記個別暗証番号または前記共通暗証番号で認証する認証工程と、を有するプロジェクターの制御方法であって、
前記認証工程によって前記いずれかの暗証番号が認証されたとき、前記個別暗証番号で認証された第１の認証モードか、前記共通暗証番号で認証された第２の認証モードかを判断する第２の判断工程と、
前記第２の判断工程によって、前記認証モードが前記第２の認証モードであると判断されたとき、前記共通暗証番号での認証を無効に設定する工程と、警告を報知する報知工程と、
を備えたことを特徴とするプロジェクターの制御方法。
【請求項８】
プロジェクターを認証する個別暗証番号または共通暗証番号の入力を受け付ける入力工程と、
前記プロジェクターの設定情報を設定する設定工程と、
前記入力工程によって受け付けた前記個別暗証番号または前記共通暗証番号で認証する認証工程と、を有するプロジェクターの制御方法であって、
前記設定工程によって、前記設定情報が所定の変更がなされたかどうか判断する第１の判断工程と、
前記認証工程によって前記いずれかの暗証番号が認証されたとき、前記個別暗証番号で認証された第１の認証モードか、前記共通暗証番号で認証された第２の認証モードかを判断する第２の判断工程と、
前記第２の判断工程によって、前記認証モードが前記第１の認証モードであると判断されたとき、前記設定工程による前記所定の変更を行う変更工程と、
を備えたことを特徴とするプロジェクターの制御方法。
【発明の詳細な説明】
【技術分野】
【０００１】
本発明は、プロジェクター、及びその制御方法に関する。
【背景技術】
【０００２】
近年、可搬型のプロジェクターにおいて、盗難防止（セキュリティー）を目的として、プロジェクターを使用する際に、ユーザーに暗証番号（パスワード）を入力させて、ユーザーの認証を行うものが増えてきている（非特許文献１参照）。
【０００３】
また、電源オン時に、所定のキー操作によって認証を行うものが、特許文献１、特許文献２等に開示されている。このようなプロジェクターを使用するためには、装置本体に備わる操作部（操作パネル）や、装置本体を遠隔操作するためのリモートコントローラー（リモコン）に対して所定のシーケンスの操作（例えば、暗証番号の入力操作）を行う必要がある。
【先行技術文献】
【特許文献】
【０００４】
【特許文献１】特開２００５−３３８６０４号公報
【特許文献２】特開２０１０−１９９５６号公報
【非特許文献】
【０００５】
【非特許文献１】セイコーエプソン（株）製、ＥＢ−１９５２Ｗ／ＥＢ−１９２０Ｗ／ＥＢ−１９１５／ＥＢ−１９２０プロジェクター取扱説明書、４５ページ〜４８ページ
【発明の概要】
【発明が解決しようとする課題】
【０００６】
しかしながら、学校や企業など、複数の場所に複数のプロジェクターを設置する場合では、それぞれのプロジェクターにそれぞれ異なった個別暗証番号を設定することが一般的であり、ユーザーが全部の暗証番号を覚えきれないという課題がある。他方で、複数のプロジェクターに共通暗証番号を設定する場合では、１台でも暗証番号（共通暗証番号）がわかってしまうとすべてのプロジェクターが盗難にあってしまう虞があるという課題がある。
【課題を解決するための手段】
【０００７】
本発明は、上述の課題の少なくとも一部を解決するためになされたものであり、以下の形態または適用例として実現することが可能である。
【０００８】
［適用例１］本適用例にかかるプロジェクターは、プロジェクターを認証する個別暗証番号または共通暗証番号の入力を受け付ける入力手段と、前記プロジェクターの設定情報を設定する設定手段と、個別暗証番号と共通暗証番号とを記憶する第１の記憶手段と、前記入力手段が受け付けた、前記個別暗証番号または前記共通暗証番号で認証する認証手段と、前記認証手段によって認証された場合、画像を投写する投写手段と、前記個別暗証番号または前記共通暗証番号のいずれでも前記プロジェクターを認証できる第１の状態と、前記個別暗証番号で前記プロジェクターを認証できる第２の状態と、を取りうるよう、前記プロジェクターを制御する制御手段と、を備えたプロジェクターであって、前記設定手段によって前記設定情報が所定の変更がなされたとき、前記制御手段は、前記プロジェクターが前記第１の状態の場合、前記第１の状態から前記第２の状態に遷移させることを特徴とする。
また、本適用例にかかるプロジェクターの制御方法は、プロジェクターを認証する個別暗証番号または共通暗証番号の入力を受け付ける入力工程と、前記プロジェクターの設定情報を設定する設定工程と、前記入力工程によって受け付けた前記個別暗証番号または前記共通暗証番号で認証する認証工程と、前記認証工程によって認証された場合、画像を投写する投写工程と、有するプロジェクターの制御方法であって、前記個別暗証番号または前記共通暗証番号のいずれでも認証可能な第１の状態と、前記個別暗証番号のみで認証可能な第２の状態とを選択する工程と、前記設定工程によって、前記設定情報が所定の変更がなされたかどうか判断する第１の判断工程と、前記第１の判断工程によって、前記設定情報の所定の変更がなされたと判断したとき、前記プロジェクターが前記第１の状態の場合は、前記第１の状態から前記第２の状態に遷移させる工程と、を備えたことを特徴とする。
【０００９】
本適用例によれば、個別暗証番号または共通暗証番号のいずれでもプロジェクターを認証する第１の状態と、個別暗証番号でプロジェクターを認証する第２の状態とのいずれかでプロジェクターが認証される。そのため、例えば、一般ユーザーには複数のプロジェクターに共通の共通暗証番号を公開するという第１の状態におくことにより、複数のプロジェクターを、同様に使用することができる。一方、正規でないユーザー（非正規ユーザー）がプロジェクターを持ち出して、プロジェクターの設定変更を行った場合には、共通暗証番号での認証が無効の状態（第２の状態）に遷移するため、プロジェクター個々に設定されていて非公開の個別暗証番号でのみ認証できるため、非正規ユーザーでの使用を防止することができる。
【００１０】
［適用例２］上記適用例にかかるプロジェクターにおいて、前記所定の変更は、前記プロジェクターの設置情報が、天吊設置から正置設置への変更であることを特徴とする。
【００１１】
本適用例によれば、天吊設置されているプロジェクターを非正規ユーザーが持ち出した場合には、天吊設置のための特殊作業が不要な正置きに設置状態を変更するのが通常である。従って、設置情報が変更するので、第１の状態が、第２の状態に遷移される。非正規ユーザーは、それぞれのプロジェクターに設定されている個別暗証番号を知りえないため、投写することができず、不正防止を行うことができる。設定手段により、各種の設定・変更することはできるが、天吊設置状態から正置設置状態への変更は、メニューや画面が上下反転して表示されることと、冷却モードが変更されるので、この変更をなさずにユーザーがプロジェクターを使用することが大変困難であり、盗難・不正防止の抑止力が大きいという効果を奏する。
【００１２】
［適用例３］上記適用例にかかるプロジェクターにおいて、前記第１の状態において、前記共通暗証番号によって認証された場合であって、前記設定手段により、前記プロジェクターの設定情報の前記所定の変更がなされたとき、前記制御手段は、警告を報知し、前記第２の状態に前記プロジェクターを遷移させてプロジェクター電源をオフすることを特徴とする。
また、上記適用例にかかるプロジェクターの制御方法において、さらに、前記個別暗証番号によって認証されたか、共通暗証番号によって認証されたかどうか判断する第２の判断工程を備え、前記第２の判断工程で、前記共通暗証番号によって認証されたと判断され、かつ、前記第１の判断工程で、前記プロジェクターの設定情報の前記所定の変更がなされたと判断したとき、警告を報知する工程と、前記第２の状態に前記プロジェクターを遷移させる工程と、プロジェクター電源をオフする工程と、を備えたことを特徴とする。
【００１３】
本適用例によれば、共通暗証番号で認証された場合であって、プロジェクターの設定情報に所定の変更がなされたとき、例えばプロジェクターの投写画面に警告メッセージを表示したり、プロジェクター内蔵のスピーカーから警告音を鳴らしたり、プロジェクターの筐体に着いているＬＥＤ（発光ダイオード）などを点滅させるなどしてユーザーに警告を報知し、さらに、個別暗証番号のみで認証可能な状態（第２の状態）になって電源オフされる。
その後、第２の状態で電源オンするときは、個別暗証番号でないとプロジェクターの認証ができないが、非正規ユーザーは個別暗証番号を知りえないため、盗難防止の目的を果たすことができる。
【００１４】
［適用例４］上記適用例にかかるプロジェクターにおいて、前記個別暗証番号によって認証されたとき、前記制御手段は、前記共通暗証番号の有効または無効の設定、及び前記共通暗証番号設定を行うことが可能であることを特徴とする。
【００１５】
本適用例によれば、個別暗証番号で認証された場合は、共通暗証番号の有効、無効の設定、共通暗証番号の設定も行うことができる。
また、個別暗証番号を個別に設定して、特定の管理者のみが管理することで、通常の使用による利便性と、盗難などの不正使用の防止を両立することができる。
【００１６】
［適用例５］本適用例にかかるプロジェクターの制御方法は、プロジェクターを認証する個別暗証番号または共通暗証番号の入力を受け付ける入力工程と、前記プロジェクターの設定情報を設定する設定工程と、前記入力工程によって受け付けた前記個別暗証番号または前記共通暗証番号で認証する認証工程と、を有するプロジェクターの制御方法であって、前記設定工程によって、前記設定情報が所定の変更がなされたかどうか判断する第１の判断工程と、前記認証工程によって前記いずれかの暗証番号が認証されたとき、前記個別暗証番号で認証された第１の認証モードか、前記共通暗証番号で認証された第２の認証モードかを判断する第２の判断工程と、前記第２の判断工程によって、前記認証モードが前記第２の認証モードであると判断されたとき、警告を報知し、前記共通暗証番号での認証を無効に設定する工程と、を備えたことを特徴とする。
【００１７】
本適用例によれば、設定情報の所定の変更がなされた場合、共通暗証番号で認証された第２の認証モードであるときは、その後共通暗証番号での認証を無効にするため、非正規ユーザーにより使用されたとしても、設定情報の変更が検出されると、共通暗証番号での認証が不可となり、非正規ユーザーによる不正な使用を防止することができる。
【００１８】
［適用例６］本適用例にかかるプロジェクターの制御方法は、プロジェクターを認証する個別暗証番号または共通暗証番号の入力を受け付ける入力工程と、前記プロジェクターの設定情報を設定する設定工程と、前記入力工程によって受け付けた前記個別暗証番号または前記共通暗証番号で認証する認証工程と、を有するプロジェクターの制御方法であって、前記設定工程によって、前記設定情報が所定の変更がなされたかどうか判断する第１の判断工程と、前記認証工程によって前記いずれかの暗証番号が認証されたとき、前記個別暗証番号で認証された第１の認証モードか、前記共通暗証番号で認証された第２の認証モードかを判断する第２の判断工程と、前記第２の判断工程によって、前記認証モードが前記第１の認証モードであると判断されたとき、前記設定工程による前記所定の変更を行う変更工程と、を備えたことを特徴とする。
【００１９】
本適用例によれば、正規ユーザーによる正当な使用を保証することができる。
【図面の簡単な説明】
【００２０】
【図１】本実施形態のプロジェクターを示す斜視図である。
【図２】プロジェクターの概略構成を示すブロック図である。
【図３】操作パネルを示す平面図である。
【図４】リモコンを示す平面図である。
【図５】プロジェクターの起動時の動作、即ちオン操作がなされた際のプロジェクターの動作を説明するためのフローチャートである。
【図６】プロジェクターの動作中（例えば画像をスクリーンに投写している状態）における、設定状態が変更されたときのフローチャートである。
【発明を実施するための形態】
【００２１】
以下、外部から入力される画像信号に基づく画像（以降、「入力画像」という。）を投写して、スクリーンや壁面等の投写面にこの入力画像を表示するプロジェクターについて説明する。本実施形態のプロジェクターは、暗証番号を用いてユーザー認証を行うユーザー認証機能を備えており、この認証結果に基づいて、プロジェクターの使用（入力画像の表示）を許可したり、禁止したりすることができる。
【００２２】
図１は、本実施形態のプロジェクターを示す斜視図である。図１に示すように、プロジェクター１は、可搬型であって、装置本体が筐体２に収納された構成を有している。筐体２の前面２ｆには、投写面Ｓ（図２参照）に画像を投写する投写レンズ１３が露出しており、筐体２の上面２ｔには、プロジェクター１に対して各種指示を行うための操作パネル２２が備えられている。また、プロジェクター１は、リモコン２３による遠隔操作も可能になっており、筐体２の前面２ｆには、リモコン２３から送信される赤外線の操作信号を受信するための操作信号受信部２４が設けられている。なお、筐体２の背面（図示せず）には、複数の入力端子２５ａ（図２参照）が備えられており、パーソナルコンピューターや各種映像再生装置等、外部の画像供給装置（入力ソース）から画像信号を入力可能になっている。
【００２３】
図２は、プロジェクター１の概略構成を示すブロック図である。図２に示すように、プロジェクター１は、画像投写部１０、制御部２０、記憶部２１、操作パネル２２、リモコン２３、操作信号受信部２４、画像信号入力部２５、入力選択部２６、画像信号検知部２７、画像処理部２８、ＯＳＤ（Ｏｎ  Ｓｃｒｅｅｎ  Ｄｉｓｐｌａｙ）処理部３０、電源回路３１、光源制御部３２等で構成されている。
【００２４】
画像投写部１０は、光源１１、光変調装置としての３つの液晶ライトバルブ１２Ｒ，１２Ｇ，１２Ｂ、投写光学系としての投写レンズ１３、ライトバルブ駆動部１４等を含んでいる。画像投写部１０は、表示部に相当するものであり、光源１１から射出された光を、液晶ライトバルブ１２Ｒ，１２Ｇ，１２Ｂで変調して画像を形成し、この画像を投写レンズ１３から投写して投写面Ｓに表示する。
【００２５】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。光源１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００２６】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリックス状に配列された複数の画素が形成されており、液晶に対して画素毎に駆動電圧を印加可能になっている。ライトバルブ駆動部１４が、入力される画像信号に応じた駆動電圧を各画素に印加すると、各画素は、画像信号に応じた光透過率に設定される。このため、光源１１から射出された光は、この液晶ライトバルブ１２Ｒ，１２Ｇ，１２Ｂを透過することによって変調され、画像信号に応じた画像が色光毎に形成される。形成された各色の画像は、図示しない色合成光学系によって画素毎に合成されてカラー画像となった後、投写レンズ１３から拡大投写される。
【００２７】
制御部２０は、ＣＰＵ（Central Processing Unit）や、各種データ等の一時記憶に用いられるＲＡＭ（Random Access Memory）等を備え、記憶部２１に記憶されている制御プログラムに従って動作することによりプロジェクター１の動作を統括制御する。つまり、制御部２０は、記憶部２１とともにコンピューターとして機能する。
【００２８】
記憶部２１は、マスクＲＯＭ（Read Only Memory）や、フラッシュメモリー、ＦｅＲＡＭ（Ferroelectric RAM：強誘電体メモリー）等の不揮発性のメモリーにより構成されている。記憶部２１には、プロジェクター１の動作を制御するための制御プログラムや、プロジェクター１の動作条件等を規定する各種設定データ等が記憶されている。また、本実施形態の記憶部２１は、第１の記憶部２１Ａ、第２の記憶部２１Ｂ、第３の記憶部２１Ｃに分かれている。
【００２９】
第１の記憶部２１Ａには、ユーザー認証を行う際に参照され、個々のプロジェクター１にそれぞれ設定されているメイン暗証番号（個別暗証番号）と、複数のプロジェクターに共通して設定されているサブ暗証番号（共通暗証番号）とが、暗証番号情報として記憶されている。なお、この暗証番号は、例えば４桁の数字からなり、ユーザーによって任意の値に設定することが可能になっている。
【００３０】
第２の記憶部２１Ｂには、メイン暗証番号で認証したか、それとも、サブ暗証番号で認証したか、のいずれで認証したかの情報が記憶されている。
【００３１】
プロジェクター１の電源オン時に、サブ暗証番号によって認証したとき、プロジェクター１の認証モードがサブモードに設定される（図５、ステップＳ１０８）。
サブモードに設定されている状態で、プロジェクター１の設定情報の所定の変更がなされたとき（図６、ステップＳ２０１）、プロジェクター１は、たとえば投写画面に警告メッセージを表示したり、プロジェクター１の内蔵するスピーカー（図示せず）を鳴らすことや、プロジェクターの筐体２に取り付けられたＬＥＤ（発光ダイオード、図示せず）によって、ユーザーに警告を報知したりする（図６、ステップＳ２０４）。
そして、プロジェクター１は、サブ暗証番号での認証が禁止され（図６、ステップＳ２０５）、メイン暗証番号でしか認証できない状態となる。
【００３２】
第３の記憶部２１Ｃには、プロジェクター１が、メイン暗証番号でもサブ暗証番号のいずれでも認証できる状態（第１の状態）にあるか、それとも、メイン暗証番号のみでしか認証できない状態（第２の状態）にあるかが、記憶されている。
【００３３】
操作パネル２２及びリモコン２３は、ユーザーからの入力操作を受け付ける入力操作部に相当するものであり、ユーザーがプロジェクター１に対して各種指示を行うための複数の操作キーを備えている。
【００３４】
図３は、操作パネル２２を示す平面図であり、図４は、リモコン２３を示す平面図である。図３に示すように、操作パネル２２が備える操作キーとしては、電源のオンとオフとを切り換えるための電源キー４１、入力ソースを切り換えるための入力切換キー４２、各種設定を行うためのメニュー画像を表示させるメニューキー４３、メニュー画像における項目の選択等に用いられる４つの方向キー４４、メニュー画像において選択された項目を決定するための決定キー４５、動作の取消等を指示する取消キー４６がある。
【００３５】
また、図４に示すように、リモコン２３は、操作パネル２２の操作キー（電源キー４１〜取消キー４６）とそれぞれ同一の用途に用いられる、電源キー５１、入力切換キー５２、メニューキー５３、方向キー５４、決定キー５５、及び取消キー５６を備えている。さらに、リモコン２３には、０〜９の各数字に対応し、暗証番号等の入力を行うための１０個の数字キー５７等が備えられており、操作パネル２２を用いた場合に比べて多くの指示を行うことが可能になっている。
【００３６】
操作パネル２２または、リモコン２３のキー入力の設定手段によって、プロジェクター１の設定状態を設定したり、変更させたりすることができる。たとえば、プロジェクター１の設置状態が、天吊設置状態から正置設置状態に変化した場合に、ＯＳＤ処理部３０によってメニューを表示し、プロジェクター１の設定状態を変更させることが必要となる。
変更された設定情報は、記憶部２１に記憶される。設定情報の例としては、標高の低い場所に設置された低地モードか、標高の高い場所に設置された高地モードかの設定や、メッセージ・メニューの言語の設定、ダイレクトパワーオン・オフの設定などである。
【００３７】
図２に戻って、ユーザーが操作パネル２２の各種操作キーを操作すると、操作パネル２２は、操作された操作キーに応じた操作信号を制御部２０に出力する。また、ユーザーがリモコン２３の各種操作キーを操作すると、リモコン２３は、操作された操作キーに応じた赤外線の操作信号を発し、操作信号受信部２４がこれを受信して制御部２０に伝達する。
【００３８】
画像信号入力部２５は、入力ソースとの間でケーブルを介した接続がなされる複数の入力端子２５ａを備えている。画像信号入力部２５が備える入力端子２５ａとしては、例えば、コンピューター等と接続されるＶＧＡ端子、映像再生装置等と接続されるビデオ端子（ＲＣＡ端子）やＳ−ビデオ端子、ＨＤＭＩ（登録商標）（High-Definition Multimedia Interface）端子等があり、これらには、アナログＲＧＢ信号やコンポジット信号、Ｓ−ビデオ信号等、動画を表す各種形式の画像信号が入力される。各入力端子２５ａに入力された画像信号は、入力選択部２６に供給される。
【００３９】
入力選択部２６は、複数の入力端子２５ａのうち、制御部２０の指示に基づく１つの入力端子２５ａを選択し、この入力端子２５ａに入力される画像信号を画像処理部２８に出力する。ユーザーが、操作パネル２２やリモコン２３に備わる入力切換キー４２，５２（図３、図４参照）を操作して所望の入力端子２５ａを指定すると、制御部２０は、この入力端子２５ａに入力されている画像信号が画像処理部２８に出力されるよう、入力選択部２６に指示をする。
【００４０】
画像信号検知部２７は、画像信号入力部２５から入力選択部２６に向けて出力される画像信号を検出することにより、各入力端子２５ａに画像信号が入力されているか否かを検知し、検知結果を表す検知信号を制御部２０に出力する。
【００４１】
画像処理部２８は、ＲＡＭ等により構成されたフレームメモリー２８ａを備えている。そして、入力選択部２６から入力される各種形式の画像信号を、液晶ライトバルブ１２Ｒ，１２Ｇ，１２Ｂの各画素の階調を表す画像情報に変換し、フレーム（画面）単位でフレームメモリー２８ａに記憶する。ここで、変換された画像情報は、Ｒ、Ｇ、Ｂの色光別になっており、各液晶ライトバルブ１２Ｒ，１２Ｇ，１２Ｂのすべての画素に対応する複数の画素値によって構成されている。
画素値とは、対応する画素の光透過率を定めるものであり、この画素値によって、各画素から射出する光の強弱（階調）が規定される。さらに、画像処理部２８は、制御部２０の指示に基づき、変換した画像情報に対して、明るさ、コントラスト、シャープネス、色合い等を調整するための画質調整処理等を行い、フレームメモリー２８ａ内の画像情報を更新する。そして、すべての処理を終えた画像情報をフレーム単位でＯＳＤ処理部３０に出力する。
【００４２】
さらに、画像処理部２８は、制御部２０の指示に基づいて、青色の無地画像（以降、「初期画像」と呼ぶ。）を表す画像情報（初期画像情報）をＯＳＤ処理部３０に出力可能となっている。画像処理部２８は、制御部２０からこの指示を受けると、赤色光及び緑色光用の液晶ライトバルブ１２Ｒ，１２Ｇのすべての画素の光透過率を最小とし、青色光用の液晶ライトバルブ１２Ｂのすべての画素の光透過率を最大とする画像情報を生成し、ＯＳＤ処理部３０に出力する。
【００４３】
ＯＳＤ処理部３０は、制御部２０の指示に基づいて、投写すべき画像（入力画像）の、保存ができる。
光源制御部３２は、制御部２０の指示に基づいて、光源１１に対する電力の供給と停止とを制御し、光源１１の点灯及び消灯を切り換える。
【００４４】
次に、プロジェクター１の動作について説明する。
プロジェクター１に商用電源が供給されると、電源回路３１は、制御部２０、記憶部２１、操作パネル２２、操作信号受信部２４に電力（スタンバイ電力）の供給を行い、制御部２０は、この電力供給を受けて、制御プログラムに従った動作を開始する。
商用電源が供給された直後には、プロジェクター１は、スタンバイ状態（「電源オフの状態」ともいう。）であり、光源１１を消灯させた状態を維持している。そして、ユーザーにより操作パネル２２又はリモコン２３の電源キー４１，５１（図３、図４参照）の操作（オン操作）がなされると、制御部２０は、プロジェクター１を電源オンの状態に移行させる。
【００４５】
図５は、プロジェクター１の起動時の動作、即ちオン操作がなされた際のプロジェクター１の動作を説明するためのフローチャートである。ユーザーによりオン操作がなされると、プロジェクター１は、図５のフローに従って動作する。
【００４６】
図５に示すように、ステップＳ１０１では、制御部２０は、電源回路３１に指示をして各部への動作電力の供給を開始させて、プロジェクター１を電源オンの状態に移行させる。その後、制御部２０は、光源制御部３２に指示をして光源１１を点灯させる(ステップＳ１０２）等の必要な初期動作を行い、画像投写部１０からの画像の投写が可能な状態とする。
【００４７】
ステップＳ１０２では、制御部２０は、上述したように光源１１を点灯させた後、画像処理部２８を初期画像表示状態とし、画像処理部２８から初期画像情報を出力させる。これにより、画像投写部１０から青色無地の初期画像が投写される（不図示）。
【００４８】
ステップＳ１０３では、記憶部２１（図２参照）に暗証番号保護設定がなされた状態で記憶されているか否かを判断する。暗証番号保護設定がなされた状態とは、ユーザーに暗証番号の入力を求める設定であり、暗証番号保護設定がなされていない状態は、ユーザーに暗証番号の入力を求めない（つまりセキュリティチェックを行わない）状態である。
暗証番号保護設定がされていないときは（ステップＳ１０３、Ｎ）、プロジェクター１の投写が開始される（ステップＳ１１３）。一方、暗証番号保護設定がされている状態では（ステップＳ１０３、Ｙ）、ステップＳ１０５に移行する。
【００４９】
ステップＳ１０５では、制御部２０は、ＯＳＤ処理部３０に指示をして、暗証番号の入力を促すためのメッセージ画像（案内メッセージ）を初期画像上に重畳表示させる（不図示）。そして、ユーザーによる暗証番号の入力、即ちリモコン２３に備わる数字キー５７の入力操作を待機する。
【００５０】
ステップＳ１０７では、制御部２０は、ユーザーによって入力される暗証番号に基づいて認証処理を行う。具体的には、制御部２０は、操作信号受信部２４から入力される操作信号に基づいて、操作された数字キー５７、即ち入力された数字を順次認識する。そして、例えば、４つの数字が入力されると、これを４桁の暗証番号とみなし、記憶部２１に記憶されている暗証番号と比較する。
【００５１】
ステップＳ１０７では、暗証番号がサブ暗証番号として有効か（第１の状態かどうか）、かつ、その場合サブ暗証番号と一致したかどうかも判断する。入力された暗証番号がサブ暗証番号として有効であり、かつ、サブ暗証番号と一致した場合（ステップＳ１０７、Ｙ）には、ユーザー認証が成立するとともに、認証モードをサブモードとし（ステップＳ１０８）、画像の投写を開始する（ステップＳ１１３）。
また、サブ暗証番号と一致しない場合（ステップＳ１０７、Ｎ）には、ステップＳ１１１に移行する。さらに、第２の状態のサブ暗証番号が無効でも、ステップＳ１１１に移行する。
【００５２】
ステップＳ１１１において、暗証番号がメイン暗証番号と一致するかどうか判断する。メイン暗証番号と一致しない場合（ステップＳ１１１、Ｎ）、ステップＳ１０９に移行して、警告表示を行なう。具体的には、制御部２０がＯＳＤ処理部３０に指示をして、ユーザー認証が不成立であった旨を示すメッセージ画像（警告メッセージ）を初期画像上に所定時間（例えば、５秒程度）重畳表示させる（不図示）。
ここでステップＳ１０９の警告表示に代え、プロジェクター１内蔵（不図示）のスピーカーに警告音を発生させてもよいし、プロジェクター１の筐体２に取り付けられた不図示のＬＥＤを点滅表示させ、ユーザーに警告を報知してもよい。
【００５３】
その後、ステップＳ１１０に移行し、制御部２０は、光源制御部３２に光源１１を消灯させる等の必要な終了動作を行った後で、電源回路３１に動作電力の供給を停止させてプロジェクター１をスタンバイ状態に移行（すなわち電源オフ処理）させ、フローを終了する。
【００５４】
一方、ステップＳ１１１における認証処理においてメイン暗証番号によるユーザー認証が成立した場合には、認証モードをメインモードとし（ステップＳ１１２）、制御部２０は、投写を開始する（ステップＳ１１３）。
【００５５】
図６は、プロジェクター１の動作中（例えば画像をスクリーンに投写している状態）における、設定状態が変更されたときのフローチャートである。
【００５６】
プロジェクター１の動作中、設定状態の所定の変更操作が検出され（ステップＳ２０１）、暗証番号保護設定が記憶部２１に記憶されているとき（ステップＳ２０２、Ｙ）、プロジェクター１の認証モードがサブモードか否かを判断する（ステップＳ２０３）。
なお、プロジェクター１の電源オン処理時に、サブ暗証番号によって認証した場合、認証モードがサブモードに設定されている（図５、ステップＳ１０８参照）。
【００５７】
ステップＳ２０３で、認証モードがサブモードに設定されていると判断したとき（ステップＳ２０３、Ｙ）、ステップＳ１０９（図５）と同様の警告を所定時間、報知し（ステップＳ２０４）、サブ暗証番号を無効にする（ステップＳ２０５）とともに、ランプを消灯して、プロジェクター１の電源をオフ処理する（ステップＳ２０６）。
【００５８】
一方、ステップＳ２０３で、認証モードがサブモードに設定されていないと判断したとき、つまり、図５のステップＳ１１２において認証モードがメインモードに設定されているとき（ステップＳ２０３、Ｎ）、検出した設定変更の処理を、制御部２０（図２参照）によって行い（ステップＳ２０７）、動作中に戻る（ステップＳ２０８）。
また、ステップＳ２０２で暗証番号保護が設定されていないとき（ステップＳ２０２、Ｎ）、つまり、セキュリティー設定がなされていないときも、同様に検出した設定変更の処理を制御部２０によって行い、動作中に戻る。
【００５９】
（変形例）
上記実施形態では、光変調装置として３つの液晶ライトバルブ１２Ｒ，１２Ｇ，１２Ｂを用いた３板式のプロジェクター１について説明したが、これに限定されない。例えば、各画素の中にそれぞれＲ光、Ｇ光、Ｂ光を透過可能なサブ画素を含んだ１つの液晶ライトバルブによって画像を形成する態様とすることも可能である。
【００６０】
上記実施形態では、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源１１から射出した光を変調する微小ミラーアレイデバイス等を用いることもできる。
【００６１】
上記実施形態では、光源１１は、放電型の光源ランプ１１ａによって構成されているが、ＬＥＤ（Light Emitting Diode：発光ダイオード）光源等の固体光源や、その他の光源を用いることもできる。
【符号の説明】
【００６２】
１…プロジェクター、２…筐体、１０…画像投写部、１１…光源、１２Ｒ，１２Ｇ，１２Ｂ…液晶ライトバルブ、１３…投写レンズ、１４…ライトバルブ駆動部、２０…制御部、２１…記憶部、２１Ａ…第１の記憶部、２１Ｂ…第２の記憶部、２１Ｃ…第３の記憶部、２２…操作パネル、２３…リモートコントローラー、２４…操作信号受信部、２５…画像信号入力部、２５ａ…入力端子、２６…入力選択部、２７…画像信号検知部、２８…画像処理部、２８ａ…フレームメモリー、３０…ＯＳＤ処理部、３１…電源回路、３２…光源制御部、Ｓ…投写面。
【図１】
2012128057.tif 000003
【図２】
2012128057.tif 000004
【図３】
2012128057.tif 000005
【図４】
2012128057.tif 000006
【図５】
2012128057.tif 000007
【図６】
2012128057.tif 000008